【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
第１のネットワークに接続されたトンネル終端装置が、前記第１のネットワークに接続された装置から送信されたパケットにヘッダを付加し、前記第１のネットワークとは異なる第２のネットワークを介して、前記第１，２のネットワークとは異なる第３のネットワークのトンネル終端装置へ送信する送信方法であって、
前記第１のネットワークに接続された装置から送信されたパケットを受信手段が受信する受信工程と、
前記受信されたパケットに含まれるヘッダ情報に基づいて該パケットの種類を種類判定手段が判定する種類判定工程と、
前記第２のネットワークの品質を品質判定手段が判定する品質判定工程と、
前記判定された種類と品質との組み合わせに対して予め設定されたプロトコルを、前記受信されたパケットを送信するためのプロトコルとして決定手段が決定する決定工程と、
前記受信されたパケットに前記決定工程で決定されたプロトコルに応じたヘッダを付加した該パケットを、送信手段が前記第２のネットワークを介して前記第３のネットワークのトンネル終端装置へ送信する送信工程と
を備えることを特徴とする送信方法。
【請求項２】
前記品質判定工程では輻輳の発生の有無を判定し、
前記決定工程では、
前記輻輳が発生していないと前記品質判定工程で判定された場合、前記受信工程で受信したＵＤＰパケットの少なくとも一部をＴＣＰプロトコルで送信すると決定し、
前記輻輳が発生していると前記品質判定工程で判定された場合、前記受信工程で受信したＵＤＰパケットの少なくとも一部をＵＤＰプロトコルで送信すると決定する
ことを特徴とする請求項１記載の送信方法。
【請求項３】
前記決定工程では、
ＵＤＰパケットを送信するためのプロトコルとして前記決定工程でＵＤＰプロトコルを決定した後に前記品質判定工程で判定した前記第２のネットワークの品質に応じて、ＵＤＰパケットを送信するためのプロトコルとしてＴＣＰプロトコルを決定した後に受信した複数のＵＤＰパケットのうち、第１のＵＤＰパケットがＴＣＰプロトコルで送信され、第２のＵＤＰパケットがＵＤＰプロトコルで送信されるように、パケットを送信するためのプロトコルを決定することを特徴とする請求項２記載の送信方法。
【請求項４】
前記品質判定工程では前記第２のネットワークにおけるパケット誤り率を判定し、
前記決定工程では、
前記輻輳が発生していないと判定され、且つ、前記パケット誤り率が閾値よりも低いと判定された場合、前記受信工程で受信したＵＤＰパケットの少なくとも一部をＵＤＰプロトコルで送信すると決定し、
前記輻輳が発生していないと判定され、且つ、前記パケット誤り率が前記閾値以上であると判定された場合、前記受信工程で受信したＵＤＰパケットの少なくとも一部をＴＣＰプロトコルで送信すると決定する
ことを特徴とする請求項１記載の送信方法。
【請求項５】
前記品質判定工程では、前記第３のネットワークへ送信されたパケットの再送率を判定し、
前記決定工程では、
前記再送率が閾値よりも低いと判定された場合、前記受信工程で受信したＴＣＰパケットの少なくとも一部をＴＣＰプロトコルで送信すると決定し、
前記再送率が前記閾値以上であると判定された場合、前記受信工程で受信したＴＣＰパケットの少なくとも一部をＵＤＰプロトコルで送信すると決定する
ことを特徴とする請求項１記載の送信方法。
【請求項６】
第１のネットワークに接続された装置から送信されたパケットにヘッダを付加し、前記第１のネットワークとは異なる第２のネットワークを介して、前記第１，２のネットワークとは異なる第３のネットワークのトンネル終端装置へ送信する、前記第１のネットワークに接続されているトンネル終端装置であって、
前記第１のネットワークに接続された装置から送信されたパケットを受信する受信手段と、
前記受信されたパケットに含まれるヘッダ情報に基づいて該パケットの種類を判定する種類判定手段と、
前記第２のネットワークの品質を判定する品質判定手段と、
前記判定された種類と品質との組み合わせに対して予め設定されたプロトコルを、前記受信されたパケットを送信するためのプロトコルとして決定する決定手段と、
前記受信されたパケットに前記決定手段が決定したプロトコルに応じたヘッダを付加した該パケットを、前記第２のネットワークを介して前記第３のネットワークのトンネル終端装置へ送信する送信手段と
を備えることを特徴とするトンネル終端装置。
【請求項７】
前記品質判定手段は輻輳の発生の有無を判定し、
前記決定手段は、
前記輻輳が発生していないと前記品質判定手段で判定された場合、前記受信手段で受信したＵＤＰパケットの少なくとも一部をＴＣＰプロトコルで送信すると決定し、
前記輻輳が発生していると前記品質判定手段で判定された場合、前記受信手段で受信したＵＤＰパケットの少なくとも一部をＵＤＰプロトコルで送信すると決定する
ことを特徴とする請求項６記載のトンネル終端装置。
【請求項８】
前記決定手段は、
ＵＤＰパケットを送信するためのプロトコルとして前記決定手段でＵＤＰプロトコルを決定した後に前記品質判定手段で判定した前記第２のネットワークの品質に応じて、ＵＤＰパケットを送信するためのプロトコルとしてＴＣＰプロトコルを決定した後に受信した複数のＵＤＰパケットのうち、第１のＵＤＰパケットがＴＣＰプロトコルで送信され、第２のＵＤＰパケットがＵＤＰプロトコルで送信されるように、パケットを送信するためのプロトコルを決定することを特徴とする請求項７記載のトンネル終端装置。
【請求項９】
前記品質判定手段は前記第２のネットワークにおけるパケット誤り率を判定し、
前記決定手段は、
前記輻輳が発生していないと判定され、且つ、前記パケット誤り率が閾値よりも低いと判定された場合、前記受信手段で受信したＵＤＰパケットの少なくとも一部をＵＤＰプロトコルで送信すると決定し、
前記輻輳が発生していないと判定され、且つ、前記パケット誤り率が前記閾値以上であると判定された場合、前記受信手段で受信したＵＤＰパケットの少なくとも一部をＴＣＰプロトコルで送信すると決定する
ことを特徴とする請求項６記載のトンネル終端装置。
【請求項１０】
前記品質判定手段は、前記第３のネットワークへ送信されたパケットの再送率を判定し、
前記決定手段は、
前記再送率が閾値よりも低いと判定された場合、前記受信手段で受信したＴＣＰパケットの少なくとも一部をＴＣＰプロトコルで送信すると決定し、
前記再送率が前記閾値以上であると判定された場合、前記受信手段で受信したＴＣＰパケットの少なくとも一部をＵＤＰプロトコルで送信すると決定する
ことを特徴とする請求項６記載のトンネル終端装置。
【請求項１１】
コンピュータを、請求項６乃至１０の何れか１項に記載のトンネル終端装置が有する各手段として機能させるためのコンピュータプログラム。
【手続補正２】
【補正対象書類名】明細書
【補正対象項目名】発明の名称
【補正方法】変更
【補正の内容】
【発明の名称】送信方法、トンネル終端装置、コンピュータプログラム
【手続補正３】
【補正対象書類名】明細書
【補正対象項目名】００２６
【補正方法】変更
【補正の内容】
【００２６】
本発明の目的を達成するために、例えば、本発明の送信方法は以下の構成を備える。即ち、第１のネットワークに接続されたトンネル終端装置が、前記第１のネットワークに接続された装置から送信されたパケットにヘッダを付加し、前記第１のネットワークとは異なる第２のネットワークを介して、前記第１，２のネットワークとは異なる第３のネットワークのトンネル終端装置へ送信する送信方法であって、前記第１のネットワークに接続された装置から送信されたパケットを受信手段が受信する受信工程と、前記受信されたパケットに含まれるヘッダ情報に基づいて該パケットの種類を種類判定手段が判定する種類判定工程と、前記第２のネットワークの品質を品質判定手段が判定する品質判定工程と、前記判定された種類と品質との組み合わせに対して予め設定されたプロトコルを、前記受信されたパケットを送信するためのプロトコルとして決定手段が決定する決定工程と、前記受信されたパケットに前記決定工程で決定されたプロトコルに応じたヘッダを付加した該パケットを、送信手段が前記第２のネットワークを介して前記第３のネットワークのトンネル終端装置へ送信する送信工程とを備えることを特徴とする。
【手続補正４】
【補正対象書類名】明細書
【補正対象項目名】００２７
【補正方法】変更
【補正の内容】
【００２７】
本発明の目的を達成するために、例えば、本発明のトンネル終端装置は以下の構成を備える。即ち、第１のネットワークに接続された装置から送信されたパケットにヘッダを付加し、前記第１のネットワークとは異なる第２のネットワークを介して、前記第１，２のネットワークとは異なる第３のネットワークのトンネル終端装置へ送信する、前記第１のネットワークに接続されているトンネル終端装置であって、前記第１のネットワークに接続された装置から送信されたパケットを受信する受信手段と、前記受信されたパケットに含まれるヘッダ情報に基づいて該パケットの種類を判定する種類判定手段と、前記第２のネットワークの品質を判定する品質判定手段と、前記判定された種類と品質との組み合わせに対して予め設定されたプロトコルを、前記受信されたパケットを送信するためのプロトコルとして決定する決定手段と、前記受信されたパケットに前記決定手段が決定したプロトコルに応じたヘッダを付加した該パケットを、前記第２のネットワークを介して前記第３のネットワークのトンネル終端装置へ送信する送信手段とを備えることを特徴とする。